(57)【要約】  アンテナをアンテナの収納物から取り出さなくても、アンテナを電子機器と接続することを可能とする物品収納用具を提供することを目的とする。本発明による物品収納用具は、内部に物品又は内容物を収納するための物品収納用具であって、前記物品収納用具の内部に格納されているアンテナと、電子機器が接続されている給電コネクタと前記アンテナとを前記アンテナが前記物品収納用具に格納されたままの状態で接続することを可能とするための接続部と、を備える。
2010024347.tif 000002
【特許請求の範囲】
【請求項１】
内部に物品又は内容物を収納するための物品収納用具であって、
前記物品収納用具の内部に格納されているアンテナと、
電子機器が接続されている給電コネクタと前記アンテナとを前記アンテナが前記物品収納用具に格納されたままの状態で接続することを可能とするための接続部と、
を備えることを特徴とする物品収納用具。
【請求項２】
請求項１に記載の物品収納用具であって、
前記接続部は、前記アンテナに取り付けられた給電端子と、前記物品収納用具の外包に取り付けられた中継金具と、を備え、
前記給電端子と前記中継金具とが電気的に接続され、更に、必要時に、前記中継金具と前記給電コネクタとが電気的に接続されることを特徴とする物品収納用具。
【請求項３】
請求項２に記載の物品収納用具であって、
前記給電端子と前記中継金具とは、取り外し可能に接続されていることを特徴とする物品収納用具。
【請求項４】
請求項１に記載の物品収納用具であって、
前記接続部は、前記アンテナに取り付けられた給電端子と、前記物品収納用具の外包に設けられた穴と、を備え、
必要時に、前記給電端子と前記給電コネクタとが前記穴の中で接続されることを特徴とする物品収納用具。
【請求項５】
請求項１乃至４の何れか１項に記載の物品収納用具であって、当該物品収納用具は、カバン、パソコンケース、ブックカバー、スーツケース、ナップザック、リックサック、ゴルフバック、ぬいぐるみ又はマスコットであることを特徴とする物品収納用具。
【請求項６】
請求項１乃至５の何れか１項に記載の物品収納用具であって、
前記アンテナとして、かさばらない小形アンテナ、平面状のアンテナ、または、ＦＰＣ(Flexible Printed Circuit)やフィルムなどで構成された折り曲げ可能なアンテナ又は導電性の布等で構成されたアンテナを利用することを特徴とする物品収納用具。
【請求項７】
内部に物品又は内容物を収納するための物品収納用具の内部に格納されているアンテナと電子機器とを接続する接続方法であって、
前記電子機器が接続されている給電コネクタと前記アンテナとを前記アンテナが前記物品収納用具に格納されたままの状態で接続部により接続する接続ステップを備えること特徴とする接続方法。
【請求項８】
請求項７に記載の接続方法であって、
前記接続部は、前記アンテナに取り付けられた給電端子と、前記物品収納用具の外包に取り付けられた中継金具と、を備え、
前記接続ステップでは、前記給電端子と前記中継金具とを電気的に接続し、更に、前記中継金具と前記給電コネクタとを電気的に接続することを特徴とする接続方法。
【請求項９】
請求項８に記載の接続方法であって、
前記給電端子と前記中継金具とを、取り外し可能に接続することを特徴とする接続方法。
【請求項１０】
請求項７に記載の接続方法であって、
前記接続部は、前記アンテナに取り付けられた給電端子と、前記物品収納用具の外包に設けられた穴と、を備え、
前記接続ステップでは、前記給電端子と前記給電コネクタとが前記穴の中で接続されることを特徴とする接続方法。
【請求項１１】
請求項７乃至１０の何れか１項に記載の接続方法であって、当該物品収納用具は、カバン、パソコンケース、ブックカバー、スーツケース、ナップザック、リックサック、ゴルフバック、ぬいぐるみ又はマスコットであることを特徴とする接続方法。
【請求項１２】
請求項７乃至１１の何れか１項に記載の接続方法であって、
前記アンテナとして、かさばらない小形アンテナ、平面状のアンテナ、または、ＦＰＣ(Flexible Printed Circuit)やフィルムなどで構成された折り曲げ可能なアンテナ又は導電性の布等で構成されたアンテナを利用することを特徴とする接続方法。
【発明の詳細な説明】
【技術分野】
【０００１】
本発明は物品収納用具に関し、特に、アンテナが内部に設けられている物品収納用具に関する。
【背景技術】
【０００２】
近年、携帯電話や、無線ＬＡＮ(Local Area Network)のホットスポットサービス、ＷｉＭＡＸ(Worldwide Interoperability for Microwave Access)など、さまざまな屋外の無線サービスシステムが使用できるようになっている。また、放送分野においても、地上波デジタルテレビ放送等が始まっている。このようなワイヤレスの多様なサービスを有効に利用するためには、アンテナの性能が重要である。【０００３】
近年、通信技術の発達に伴い、携帯電話やＰＤＡ(Personal Digital Assistant)、ノートＰＣ(Personal Computer)などの小形の端末で、高速な通信が可能になってきている。【０００４】
これらの端末の無線通信においては、電波を使用するため、通常、アンテナは端末に備えられているものであるが、端末が小形であるため、備えられているアンテナも小形であったり、小形なアンテナが内蔵されていたりするものが多い。【０００５】
一方で、アンテナは、その特性上、無線通信に重要な要素である、放射効率や利得は、物理的な大きさが大きいほうが良好であることが知られている。【０００６】
上記に記した小形の端末機器では、一般に小さなアンテナしか備えられておらず、十分高性能なアンテナが備え付けられているとはいいがたい。【０００７】
電波伝搬環境の悪い地域、すなわち、基地局からの電波の弱い場所では、高速通信のための十分な受信電界が得られないという問題、すなわち、十分なＳ／Ｎが得られず、高速な通信を行うことができないという問題がある。【０００８】
これらの問題を解決するには、比較的大きな外部アンテナが必要になる。しかし、現状、存在する外部アンテナは、立体的であったり、かさばったりするもので、カバン等にしまおうとするとうまく収納できないという問題がある。【０００９】
さらに、カバンなどの物品収納用具にしまうと、使用するときに、カバンから出して同軸ケーブルを接続する必要がある。【００１０】
このような状況において、カバン等の物品収納用具に、すんなり収納できるアンテナと、このアンテナを物品収納用具から取り出さずに使用できる給電方法があれば非常に便利である。
【先行技術文献】
【特許文献】
【００１１】
【特許文献１】特開２００１−１１９２３２号公報
【特許文献２】特開２００３−２５８５２０号公報
【特許文献３】特開２００６−３０９４０１号公報
【特許文献４】特開平１１−１８０５４５号公報
【発明の概要】
【発明が解決しようとする課題】
【００１２】
通常の下記のＡ１）〜Ａ７）の物品収納用具は、アンテナとしての機能や、アンテナを付加する機能を有しているものはなかった。
Ａ１）カバン
Ａ２）パソコンを収納するソフトケースまたはハードケース、または、パソコン収納用のカバン
Ａ３）ブックカバー
Ａ４）ＰＤＡや携帯プリンタ、プロジェクタ、ビデオ用の物品の収納ケース（ハード、ソフト）
Ａ５）スーツケース、ナップザック、リックサック、ゴルフバック
Ａ６）その他、手に持つカバンに類似するもの
Ａ７）ぬいぐるみ、マスコット等【００１３】
また、アンテナを付加するための穴加工や、給電回路の一部を内蔵している構造のものは存在しなかった。【００１４】
従って、携帯機器、例えば、携帯用の小形の地上波デジタルテレビ受信機などを用いて、外出先で、テレビを観ようとしたときに、電波の弱い場所では、観ることができないという問題があった。【００１５】
また、現状、存在するアンテナは、立体的でかさばっていて、カバン等に収納するのは困難な上、使用時は、アンテナをカバンから出して接続する必要があった。【００１６】
これらの問題を解決するには、比較的大きな外部アンテナが必要になる。しかし、外部アンテナを持ち運ぶには、以下の問題がある。
（１）現状、存在するものは、立体的で、かさばる。従って、外部アンテナをカバン等にしまうと、外形がでこぼこしてしまったり、うまく収納できないという問題がある。
（２）外部アンテナをカバンなどの物品収納用具にしまうと、使用するときに、外部アンテナをカバンからだして同軸ケーブルを接続する必要がある。【００１７】
そこで本発明は、アンテナを、該アンテナが収納されている物品収納物から取り出さなくても、アンテナを電子機器と接続することを可能とする物品収納用具を提供することを目的とする。
【課題を解決するための手段】
【００１８】
本発明によれば、内部に物品又は内容物を収納するための物品収納用具であって、前記物品収納用具の内部に格納されているアンテナと、電子機器が接続されている給電コネクタと前記アンテナとを前記アンテナが前記物品収納用具に格納されたままの状態で接続することを可能とするための接続部と、を備えることを特徴とする物品収納用具が提供される。【００１９】
また、本発明によれば、内部に物品又は内容物を収納するための物品収納用具の内部に格納されているアンテナと電子機器とを接続する接続方法であって、電子機器が接続されている給電コネクタと前記アンテナとを前記アンテナが前記物品収納用具に格納されたままの状態で接続部により接続する接続ステップを備えること特徴とする接続方法が提供される。
【発明の効果】
【００２０】
本発明によれば、アンテナを、該アンテナが収納されている物品収納物から取り出さなくても、アンテナを電子機器と接続することが可能となる。
【図面の簡単な説明】
【００２１】
【図１】本発明の機器収納用具の第１の実施形態の構成図である。
【図２】本発明の第１の実施形態の中継金具の周辺断面図である。
【図３】本発明の実施形態１による給電コネクタの詳細な構成を示す図である。
【図４】本発明の機器収納用具の第２の実施形態の構成図である。
【図５】本発明の機器収納用具の第３の実施形態の構成図である。
【図６】本発明の第３の実施形態の内部の詳細の構成図である。
【図７】本発明の機器収納用具の第４の実施形態の構成図である。
【図８】本発明の機器収納用具の第５の実施形態の構成図である。
【図９】通常技術の実施例である。
【発明を実施するための形態】
【００２２】
以下、図面を参照して本発明を実施するための最良の形態について詳細に説明する。
【００２３】
１）使用するアンテナとして、かさばらない小形アンテナ、平面状のアンテナ、または、ＦＰＣ(Flexible Printed Circuit)やフィルムなどで構成された折り曲げ可能なアンテナ、導電性の布等で構成されたアンテナを対象とする。なお、導電性の布等で構成されたアンテナの場合、その周辺部の非導電性の布等の部分も含んでアンテナと称する場合もある。それらのアンテナが、物品収納用具に収納された場合、それらのアンテナと電子機器を接続する給電端子、これらを相互に接続する中継金具５を設け、これらが相互に接続できるようにする。そして、その中継金具５は、外部から、外部の同軸ケーブル１１で接続できるようにした構造とする。
【００２４】
２）使用するアンテナが、物品収納用具に収納された場合、それらのアンテナと電子機器を接続する給電端子に、穴を設け、外部から、外部の同軸ケーブルで接続できるようにした構造とする。
【００２５】
上記１）または２）の構造とすることにより、物品収納用具にしまったアンテナを、接続時に、物品収納用具から取り出さなくても使用できるという利便性が得られる。（物品収納用具からアンテナ３を取り出さなくても、アンテナ３に給電線を接続でき、使用できる利便性が得られる。）
【００２６】
特に、カバン１のサイドポケットにアンテナ３を収納するような場合（図１参照）は、アンテナ３にとっても、電波を受信しやすい環境となるというメリットもある。
【００２７】
本発明の物品収納用具は、アンテナ３の取り付けが可能な構造、または、アンテナ３としての機能を有する物品収納用具である。
【００２８】
本発明で想定する具体的な例は以下である。
Ａ１）カバン
Ａ２）パソコンを収納するソフトケースまたはハードケース、または、パソコン収納用のカバン
Ａ３）ブックカバー
Ａ４）ＰＤＡや携帯プリンタ、プロジェクタ、ビデオ用の物品の収納ケース（ハード、ソフト）
Ａ５）スーツケース、ナップザック、リックサック、ゴルフバック
Ａ６）その他、手に持つカバンに類似するもの。
Ａ７）ぬいぐるみ、マスコット等
【００２９】
上記の想定物に対し、以下の機能を有する。
Ｂ１）上記Ａ１）〜Ａ６）の本来の機能に加えて、アンテナ３が装着できるような構造を有し、または、アンテナ３が装着でき、その給電端子の一部が組み込まれている。
Ｂ２）アンテナ３は、必要に応じて、取り外し、または、装着することが可能である。
Ｂ３）本発明の物品収納用具に取り付け可能なアンテナ３は、地上波デジタルテレビやデジタルラジオの受信できる機器、携帯電話、携帯端末、ＰＤＡ、パソコン等に使用できるものである。
Ｂ４）取り付け可能なアンテナ３が、関連する技術分野は、ダイバーシティやＭＩＭＯ(Multiple Input Multiple Output)技術にも関連する。関連するシステムでは、携帯電話、無線ＬＡＮ、ＷｉＭＡＸ、ＬＴＥ(Long Time Evolution)、第４世代移動体通信である。
【００３０】
図１は、本発明の物品収納用具の第１の実施形態の構成図である。カバン１の横面には、サイドポケットがあり、表面はサイドポケットの布（すなわち、外包）２で覆われている。
【００３１】
サイドポケットの内部には、アンテナ３が収納されている。アンテナ３は、金属性のスナップボタンやハトメのような構造の給電端子４を有している。
【００３２】
サイドポケットの布２には、前記のアンテナ３の給電端子４の場所に、導体より構成される中継金具５が配置されている。中継金具５は、サイドポケットの布の内側から外側に貫通しており、内側からは給電端子４が、外側からは給電コネクタ１０をはめられるようになっている。
【００３３】
図１、図２を参照すると、給電コネクタ１０には、同軸ケーブル１１の一端が接続され、同軸ケーブル１１の他端には、コネクタ１３が接続され、中継金具５に給電コネクタ１０を接続し、コネクタ１３に無線機器等を接続することにより、アンテナ３を無線機器等に接続して使用することができる。
【００３４】
図３に、同軸ケーブル１１と給電コネクタ１０の詳細構造の一実施例を示す。
【００３５】
給電コネクタ１０の内部には、プリント基板２００が配置され、プリント基板２００の一方の面に、銅箔パターンのランドＡ２０１、ランドＢ２０２が、他方の面に、銅箔パターンのランドＣ２０３、ランドＤ２０４が、配置されている。
【００３６】
ランドＡ２０１とランドＣ２０３、ランドＢ２０２とランドＤ２０４は、それぞれ複数のスルーホール２１０で、高周波的に十分な導通が得られるように接続されている。
【００３７】
ランドＡ２０１およびランドＢ２０２には、給電端子１２がハンダ付けされており、ランドＣ２０３およびランドＤ２０４には、それぞれ、同軸ケーブル１１の同軸中心導体と同軸外部導体が接続されている。 
【００３８】
なお、アンテナ３は、２つの三角形の導電性の布３０１とそれらの周辺部にある四角形の非導電性の布３０２を含む。第１の導電性の布３０１には、第１の給電端子４が取り付けられ、第２の導電性の布３０１には第２の給電端子４が取り付けられている。第１の給電端子４は、第１の中継金具５及び給電コネクタ１０を介して同軸ケーブル１１の中心導体と接続され、第２の給電端子４は、第２の中継金具５及び給電コネクタ１０を介して同軸ケーブル１１の外皮部の導体と接続されている。
【００３９】
図２に、第１の実施形態の中継金具５の周辺部の断面図を示す。全体断面図では、カバン１の断面を示しており、カバン１のサイドポケットの布２の内側に、アンテナ３が収納されていることがわかる。アンテナ３は、給電端子４と給電コネクタ１０と同軸ケーブル１１とコネクタ１３を経由して、サイドポケットの布２の外側にある無線機器等と電気的に接続される。
【００４０】
詳細断面図には、アンテナ３の給電端子４と、中継コネクタ５と、給電コネクタ１０に付加する給電端子１２との接続の関係が示されている。
【００４１】
中継金具５は、サイドポケットの布２の両側に金属の勘合部分を有しており、サイドポケット２の内側では、アンテナ３の給電端子４と勘合し、サイドポケットの布２の外側では、給電コネクタ１０に付加する給電端子１２と勘合するようになっている。結果として、給電端子４は、中継金具５を介して、給電端子１２と接続されていることになる。
【００４２】
なお、アンテナ３自身は、マジックテープ１５により、サイドポケットの布２に固定しておくと、アンテナ３が内部で、脱落することを防げる。マジックテープ１５による固定箇所は、１箇所であってもよいが、複数箇所でも良い。
【００４３】
さらに、アンテナ３の固定方法としては、通常のボタンによる固定方法などを用いる方法もある。
【００４４】
このように、図１、図２の構造とすることで、アンテナ３をカバンのサイドポケットに収納し、アンテナ３をサイドポケットから取り出さなくても、アンテナ３に外側から同軸ケーブル１１を接続することが可能である。
【００４５】
なお、図２で、使用するカバンにサイドポケットがなく、主となるカバン内部１４しかない場合は、カバン内部１４の側面に、上記で説明した構造と同様な構造を持たせることで同様の効果を得ることができる。
【００４６】
図４は、本発明の物品収納用具の第２の実施形態の構成図である。図１と同様に、カバン１の横面のサイドポケットにアンテナ３を収納している。図１、図２との違いは、接続部詳細図に示すように、給電端子４の部分に外から給電コネクタ１０を接続できるように、穴２０が設けられていることである。
【００４７】
穴２０を通して、給電コネクタ１０が、外側から、給電端子４に接続できるようになっている。
【００４８】
図５は、本発明の物品収納用具の第３の実施形態の構成図である。また、図６は、その内部の接続構造を示したものである。図５、図６の実施形態の、図１、図２との違いは、対象の物品収納用具が、パソコンケース３０であることである。
【００４９】
図１、図２と同様に、パソコンケース３０の内側に、アンテナ３を配置し、マジックテープ１５で固定する。そして、接続部詳細図に示すように、アンテナ３の給電端子４と、パソコンケース３０の側面に設置された中継コネクタ５を接続し、さらに中継コネクタ５と、外側から接続する給電コネクタ１０を接続する。これらの接続構造は、図２の詳細断面図に示す接続構造と同様である。
【００５０】
図７は、本発明の物品収納用具の第４の実施形態の構成図である。第４の実施形態が図５、図６に示す実施形態と違う点は、給電端子４が、穴２０を通して、給電コネクタ１０と直接接続している点であり、図４に示す実施形態２が図１及び図２に示す実施形態１と違う点と同様である。
【００５１】
図８は、本発明の物品収納用具の第５の実施形態の構成図である。第５の実施形態が図１、図４に示す実施形態と違う点は、対象の物品収納用具が、ブックカバー５０であることである。
【００５２】
ブックカバー５０は、本５１のカバー（すなわち、外包）として用いられるが、本が、ノート、バインダー、カタログなどに置き換わっても良い。また、ブックカバー５０が、書類を収納するケース（プラスチックケースやビニールなどで、書類を保存する収納具、保管具など）などに置き換わっても良い。
【００５３】
物品収納用具がブックカバー５０である場合は、本５０を固定する際、通常、本の表紙部分をポケットのしきり５２から、ポケット５３に入れこんで固定するため、前もって、アンテナ３の端を、ポケットのしきり５２から、ポケット５３に入れこんで固定しておけば良い。つまり、図８に細い破線で示される四角形の導電性を有しない布３０２の部分の両端をポケット５３に入れ込んで固定しておく。
【００５４】
アンテナ３への給電コネクタ１０の接続方法としては、図２の詳細断面図に示すように、中継金具５を用いる方法、及び、図４に示すように、穴２０を用いる方法がある。
【００５５】
いずれも方法においても、アンテナ３をブックカバー５０の内側に収納でき、アンテナ３をブックカバー５０から取り出さなくても、ブックカバー５０の外側から同軸ケーブル１１を接続することが可能である。
【００５６】
なお、本発明を適用する物品収納用具としては、カバン、パソコンを収納するソフトケース、パソコンを収納するハードケース、パソコン収納用のカバン、ブックカバー以外に、ＰＤＡの収納ケース、携帯プリンタの収納ケース、プロジェクタの収納ケース、ビデオカメラの収納ケース、スーツケース、ナップザック、リックサック、ゴルフバック、その他、手に持つカバンに類似するもの等があげられる。
【００５７】
さらに、本発明を適用できるという意味では、物品収納用具として、ぬいぐるみやマスコットなどの内部にアンテナ３を収納できるものもあげられる。
【００５８】
本願は、日本の特願２００８−２１９８５９（２００８年８月２８日に出願）に基づいたものであり、又、特願２００８−２１９８５９に基づくパリ条約の優先権を主張するものである。特願２００８−２１９８５９の開示内容は、特願２００８−２１９８５９を参照することにより本明細書に援用される。    
【００５９】
本発明の代表的な実施形態が詳細に述べられたが、様々な変更(changes)、置き換え(substitutions)及び選択(alternatives)が請求項で定義された発明の精神と範囲から逸脱することなくなされることが理解されるべきである。また、仮にクレームが出願手続きにおいて補正されたとしても、クレームされた発明の均等の範囲は維持されるものと発明者は意図する。
【産業上の利用可能性】
【００６０】
本発明は、小型の電子機器にユーザに煩わしさを与えずに大型のアンテナを接続することに利用することが出来る。
【符号の説明】
【００６１】
１  カバン
２  サイドポケットの布
３  アンテナ
４  給電端子
５  中継金具
１０  給電コネクタ
１１  同軸ケーブル
１２  給電端子
１３  コネクタ
１５  マジックテープ
２０  穴
３０  パソコンケース
３１  パソコンケースの内側
３２  マジックテープ
５１  本
５３  ポケット
５０  ブックカバー
３０１  導電性の布
３０２  導電性を有しない布
【図１】
2010024347.tif 000003
【図２】
2010024347.tif 000004
【図３】
2010024347.tif 000005
【図４】
2010024347.tif 000006
【図５】
2010024347.tif 000007
【図６】
2010024347.tif 000008
【図７】
2010024347.tif 000009
【図８】
2010024347.tif 000010
【図９】
2010024347.tif 000011
【手続補正書】
【提出日】平成22年6月25日(2010.6.25)
【手続補正１】
【補正対象書類名】特許請求の範囲
【補正対象項目名】全文
【補正方法】変更
【補正の内容】
【特許請求の範囲】
【請求項１】
内部に物品又は内容物を収納するための物品収納用具であって、
前記物品収納用具の内部に格納されているアンテナと、
物品収納用具の外部に存在する物品収納用具の外部に存在する電子機器が接続されている給電コネクタと前記アンテナとを前記アンテナが前記物品収納用具に格納されたままの状態で接続することを可能とするための専用の接続部と、
を備えることを特徴とする物品収納用具。
【請求項２】
請求項１に記載の物品収納用具であって、
前記接続部は、前記アンテナに取り付けられた給電端子と、前記物品収納用具の外包に取り付けられた中継金具と、を備え、
前記給電端子と前記中継金具とが電気的に接続され、更に、必要時に、前記中継金具と前記給電コネクタとが電気的に接続されることを特徴とする物品収納用具。
【請求項３】
請求項２に記載の物品収納用具であって、
前記給電端子と前記中継金具とは、取り外し可能に接続されていることを特徴とする物品収納用具。
【請求項４】
請求項１に記載の物品収納用具であって、
前記接続部は、前記アンテナに取り付けられた給電端子と、前記物品収納用具の外包に設けられた穴と、を備え、
必要時に、前記給電端子と前記給電コネクタとが前記穴の中で接続されることを特徴とする物品収納用具。
【請求項５】
請求項１乃至４の何れか１項に記載の物品収納用具であって、当該物品収納用具は、カバン、パソコンケース、ブックカバー、スーツケース、ナップザック、リックサック、ゴルフバック、ぬいぐるみ又はマスコットであることを特徴とする物品収納用具。
【請求項６】
請求項１乃至５の何れか１項に記載の物品収納用具であって、
前記アンテナとして、かさばらない小形アンテナ、平面状のアンテナ、または、ＦＰＣ（Ｆｌｅｘｉｂｌｅ  Ｐｒｉｎｔｅｄ  Ｃｉｒｃｕｉｔ）やフィルムなどで構成された折り曲げ可能なアンテナ又は導電性の布等で構成されたアンテナを利用することを特徴とする物品収納用具。
【請求項７】
内部に物品又は内容物を収納するための物品収納用具の内部に格納されているアンテナと物品収納用具の外部に存在する電子機器とを接続する接続方法であって、
前記電子機器が接続されている給電コネクタと前記アンテナとを前記アンテナが前記物品収納用具に格納されたままの状態で専用の接続部により接続する接続ステップを備えること特徴とする接続方法。
【請求項８】
請求項７に記載の接続方法であって、
前記接続部は、前記アンテナに取り付けられた給電端子と、前記物品収納用具の外包に取り付けられた中継金具と、を備え、
前記接続ステップでは、前記給電端子と前記中継金具とを電気的に接続し、更に、前記中継金具と前記給電コネクタとを電気的に接続することを特徴とする接続方法。
【請求項９】
請求項８に記載の接続方法であって、
前記給電端子と前記中継金具とを、取り外し可能に接続することを特徴とする接続方法。
【請求項１０】
請求項７に記載の接続方法であって、
前記接続部は、前記アンテナに取り付けられた給電端子と、前記物品収納用具の外包に設けられた穴と、を備え、
前記接続ステップでは、前記給電端子と前記給電コネクタとが前記穴の中で接続されることを特徴とする接続方法。
【請求項１１】
請求項７乃至１０の何れか１項に記載の接続方法であって、当該物品収納用具は、カバン、パソコンケース、ブックカバー、スーツケース、ナップザック、リックサック、ゴルフバック、ぬいぐるみ又はマスコットであることを特徴とする接続方法。
【請求項１２】
請求項７乃至１１の何れか１項に記載の接続方法であって、
前記アンテナとして、かさばらない小形アンテナ、平面状のアンテナ、または、ＦＰＣ（Ｆｌｅｘｉｂｌｅ  Ｐｒｉｎｔｅｄ  Ｃｉｒｃｕｉｔ）やフィルムなどで構成された折り曲げ可能なアンテナ又は導電性の布等で構成されたアンテナを利用することを特徴とする接続方法。
【手続補正２】
【補正対象書類名】明細書
【補正対象項目名】０００３
【補正方法】変更
【補正の内容】
【０００３】
Ａ７）ぬいぐるみ、マスコット等
［００１３］
また、アンテナを付加するための穴加工や、給電回路の一部を内蔵している構造のものは存在しなかった。
［００１４］
従って、携帯機器、例えば、携帯用の小形の地上波デジタルテレビ受信機などを用いて、外出先で、テレビを観ようとしたときに、電波の弱い場所では、観ることができないという問題があった。
［００１５］
また、現状、存在するアンテナは、立体的でかさばっていて、カバン等に収納するのは困難な上、使用時は、アンテナをカバンから出して接続する必要があった。
［００１６］
これらの問題を解決するには、比較的大きな外部アンテナが必要になる。しかし、外部アンテナを持ち運ぶには、以下の問題がある。
（１）現状、存在するものは、立体的で、かさばる。従って、外部アンテナをカバン等にしまうと、外形がでこぼこしてしまったり、うまく収納できないという問題がある。
（２）外部アンテナをカバンなどの物品収納用具にしまうと、使用するときに、外部アンテナをカバンからだして同軸ケーブルを接続する必要がある。
［００１７］
そこで本発明は、アンテナを、該アンテナが収納されている物品収納物から取り出さなくても、アンテナを電子機器と接続することを可能とする物品収納用具を提供することを目的とする。
課題を解決するための手段
［００１８］
本発明によれば、内部に物品又は内容物を収納するための物品収納用具であって、前記物品収納用具の内部に格納されているアンテナと、物品収納用具の外部に存在する電子機器が接続されている給電コネクタと前記アンテナとを前記アンテナが前記物品収納用具に格納されたままの状態で接続することを可能とするための専用の接続部と、を備えることを特徴とする物品収納用具が提供される。
［００１９］
また、本発明によれば、内部に物品又は内容物を収納するための物品収納用具の内部に格納されているアンテナと物品収納用具の外部に存在する物品収納用具の外部に存在する電子機器とを接続する接続方法であ
【手続補正３】
【補正対象書類名】明細書
【補正対象項目名】０００４
【補正方法】変更
【補正の内容】
【０００４】
って、電子機器が接続されている給電コネクタと前記アンテナとを前記アンテナが前記物品収納用具に格納されたままの状態で専用の接続部により接続する接続ステップを備えること特徴とする接続方法が提供される。
発明の効果
［００２０］
本発明によれば、アンテナを、該アンテナが収納されている物品収納物から取り出さなくても、アンテナを電子機器と接続することが可能となる。
図面の簡単な説明
［００２１］
［図１］本発明の機器収納用具の第１の実施形態の構成図である。
［図２］本発明の第１の実施形態の中継金具の周辺断面図である。
［図３］本発明の実施形態１による給電コネクタの詳細な構成を示す図である。
［図４］本発明の機器収納用具の第２の実施形態の構成図である。
［図５］本発明の機器収納用具の第３の実施形態の構成図である。
［図６］本発明の第３の実施形態の内部の詳細の構成図である。
［図７］本発明の機器収納用具の第４の実施形態の構成図である。
［図８］本発明の機器収納用具の第５の実施形態の構成図である。
［図９］通常技術の実施例である。
発明を実施するための形態
［００２２］
以下、図面を参照して本発明を実施するための最良の形態について詳細に説明する。
［００２３］
１）使用するアンテナとして、かさばらない小形アンテナ、平面状のアンテナ、または、ＦＰＣ（Ｆｌｅｘｉｂｌｅ  Ｐｒｉｎｔｅｄ  Ｃｉｒｃｕｉｔ）やフィルムなどで構成された折り曲げ可能なアンテナ、導電性の布等で構成されたアンテナを対象とする。なお、導電性の布等で構成されたアンテナの場合、その周辺部の非導電性の布等の部分も含んでアンテナと称する場合もある。それらのアンテナが、物品収納用具に収納された場合、それらのアンテナと電子機器を接続する給電端子、これらを相互に接続する中継金具５を設け、これらが相互に接続できるようにする。そして、その中継金具５は、外部から、外部の同軸ケーブル１１で接続できるようにした構造とする。
【手続補正書】
【提出日】平成23年2月16日(2011.2.16)
【手続補正１】
【補正対象書類名】特許請求の範囲
【補正対象項目名】全文
【補正方法】変更
【補正の内容】
【特許請求の範囲】
【請求項１】
内部に物品又は内容物を収納するための物品収納用具であって、
前記物品収納用具の内部に格納されているアンテナと、
電子機器が接続されている給電コネクタと前記アンテナとを前記アンテナが前記物品収納用具に格納されたままの状態で接続することを可能とするための接続部と、
を備え、
前記接続部は、前記アンテナに取り付けられた給電端子と、前記物品収納用具の外包に取り付けられた中継金具と、を備え、
前記給電端子と前記中継金具とが電気的に接続され、更に、前記中継金具と前記給電コネクタとが電気的に接続され、
前記給電端子と前記中継金具とは、取り外し可能に接続されていることを特徴とする物品収納用具。
【請求項２】
請求項１に記載の物品収納用具であって、当該物品収納用具は、カバン、パソコンケース、ブックカバー、スーツケース、ナップザック、リックサック、ゴルフバック、ぬいぐるみ又はマスコットであることを特徴とする物品収納用具。
【請求項３】
請求項１又は２に記載の物品収納用具であって、
前記アンテナとして、かさばらない小形アンテナ、平面状のアンテナ、または、ＦＰＣ(Flexible Printed Circuit)やフィルムなどで構成された折り曲げ可能なアンテナ又は導電性の布等で構成されたアンテナを利用することを特徴とする物品収納用具。
【請求項４】
内部に物品又は内容物を収納するための物品収納用具の内部に格納されているアンテナと電子機器とを接続する接続方法であって、
前記電子機器が接続されている給電コネクタと前記アンテナとを前記アンテナが前記物品収納用具に格納されたままの状態で接続部により接続する接続ステップを備え、
前記接続部は、前記アンテナに取り付けられた給電端子と、前記物品収納用具の外包に取り付けられた中継金具と、を備え、
前記接続ステップでは、前記給電端子と前記中継金具とを電気的に接続し、更に、前記中継金具と前記給電コネクタとを電気的に接続し、
前記給電端子と前記中継金具とを、取り外し可能に接続することを特徴とする接続方法。
【請求項５】
請求項４に記載の接続方法であって、当該物品収納用具は、カバン、パソコンケース、ブックカバー、スーツケース、ナップザック、リックサック、ゴルフバック、ぬいぐるみ又はマスコットであることを特徴とする接続方法。
【請求項６】
請求項４又は５に記載の接続方法であって、
前記アンテナとして、かさばらない小形アンテナ、平面状のアンテナ、または、ＦＰＣ(Flexible Printed Circuit)やフィルムなどで構成された折り曲げ可能なアンテナ又は導電性の布等で構成されたアンテナを利用することを特徴とする接続方法。
【手続補正２】
【補正対象書類名】明細書
【補正対象項目名】００１８
【補正方法】変更
【補正の内容】
【００１８】
本発明によれば、内部に物品又は内容物を収納するための物品収納用具であって、前記物品収納用具の内部に格納されているアンテナと、電子機器が接続されている給電コネクタと前記アンテナとを前記アンテナが前記物品収納用具に格納されたままの状態で接続することを可能とするための接続部と、を備え、前記接続部は、前記アンテナに取り付けられた給電端子と、前記物品収納用具の外包に取り付けられた中継金具と、を備え、前記給電端子と前記中継金具とが電気的に接続され、更に、前記中継金具と前記給電コネクタとが電気的に接続され、前記給電端子と前記中継金具とは、取り外し可能に接続されていることを特徴とする物品収納用具が提供される。
【手続補正３】
【補正対象書類名】明細書
【補正対象項目名】００１９
【補正方法】変更
【補正の内容】
【００１９】
また、本発明によれば、内部に物品又は内容物を収納するための物品収納用具の内部に格納されているアンテナと電子機器とを接続する接続方法であって、前記電子機器が接続されている給電コネクタと前記アンテナとを前記アンテナが前記物品収納用具に格納されたままの状態で接続部により接続する接続ステップを備え、前記接続部は、前記アンテナに取り付けられた給電端子と、前記物品収納用具の外包に取り付けられた中継金具と、を備え、前記接続ステップでは、前記給電端子と前記中継金具とを電気的に接続し、更に、前記中継金具と前記給電コネクタとを電気的に接続し、前記給電端子と前記中継金具とを、取り外し可能に接続することを特徴とする接続方法が提供される。
【国際調査報告】
2010024347.tif 000012
2010024347.tif 000013